(57)【特許請求の範囲】
【請求項１】
ユーザ装置の間欠受信モードにおけるアクティブ期間の開始点を設定する方法であって、
前記ユーザ装置が、基地局に対して、「ＲＲＣ  ＣＯＮＮＥＣＴＩＯＮ  ＲＥＱＵＥＳＴ」を送信することによって、該ユーザ装置と該基地局との間で、ＲＲＣ接続を確立する工程と、
前記基地局が、前記ユーザ装置に対して、「ＲＲＣ  ＣＯＮＮＥＣＴＩＯＮ  ＲＥＣＯＮＦＩＧＵＲＡＴＩＯＮ」によって、間欠受信用のＲＲＣ配置情報を伝送するステップと、
前記ユーザ装置が、前記間欠受信用のＲＲＣ配置情報に基づいて、自分に間欠受信モードが配置されているかどうかを検出するステップと、
前記ユーザ装置が、該ユーザ装置の識別番号を用いることなく、整数０と間欠受信周期の長さを示す整数との間の整数及び該間欠受信周期の長さを用いて、各間欠受信周期における前記アクティブ期間の開始点を算出するステップと、
前記ユーザ装置が、算出したアクティブ期間の開始点に基づき間欠受信を起動するステップとを含むことを特徴とする方法。
【請求項２】
前記ユーザ装置が、自分に間欠受信モードが配置されていないと検出した場合、間欠受信を起動せず、チャネルのセンシングを継続するステップをさらに含むことを特徴とする請求項１に記載の方法。
【請求項３】
前記ユーザ装置は、前記間欠受信用のＲＲＣ配置情報を再び受信したとき、新たに受信した該間欠受信用のＲＲＣ配置情報によって状態を更新することを特徴とする請求項１又は２に記載の方法。
【請求項４】
基地局及びユーザ装置を具備しており、該ユーザ装置の間欠受信モードにおけるアクティブ期間の開始点を設定するように構成されている移動通信システムであって、
前記基地局は、
「ＲＲＣ  ＣＯＮＮＥＣＴＩＯＮ  ＲＥＣＯＮＦＩＧＵＲＡＴＩＯＮ」によって、間欠受信用のＲＲＣ配置情報を送信するように構成されている送受信ユニットを具備しており、
前記ユーザ装置は、
前記間欠受信用のＲＲＣ配置情報に基づいて、自分に間欠受信モードが配置されているかどうかを検出し、該ユーザ装置の識別番号を用いることなく、整数０と間欠受信周期の長さを示す整数との間の整数及び該間欠受信周期の長さを用いて、各間欠受信周期における前記アクティブ期間の開始点を算出するように構成されている間欠受信状態調整ユニットを具備することを特徴とする移動通信システム。
【請求項５】
前記基地局が、前記ユーザ装置に関する前記間欠受信用のＲＲＣ配置情報を間欠受信状態レジスタに保存するステップをさらに含むことを特徴とする請求項１に記載の方法。
【請求項６】
前記ユーザ装置に間欠受信モードを配置する必要がない場合、前記基地局が、該ユーザ装置に対して、他のＲＲＣ制御情報を送信することによって、何れの時点でもスケジューリングしてデータを送信することができるようにするステップをさらに含むことを特徴とする請求項１に記載の方法。
【請求項７】
前記基地局は、前記ユーザ装置に対して、ＲＲＣ制御情報又はＭＡＣペイロードデータユニットによって、前記間欠受信用のＲＲＣ配置情報を送信することを特徴とする請求項１に記載の方法。
【請求項８】
「ｒａｎｄ（０，ａ）」が、ランダムに取得される整数０と整数ａとの間の整数（０及びａも含む）を表し、「ＤＲＸ  ｃｙｃｌｅ  ｌｅｎｇｔｈ」が、間欠受信周期の長さを表し、「ｎ」が、負でない整数を表し、「ＡＰＳＰ」の値が、セルのシステムフレーム番号の最大値以下である場合、前記基地局は、
【数３】
0004801176.tif 000007
に従って、前記ユーザ装置のアクティブ期間の開始点を算出することを特徴とする請求項１に記載の方法。
【請求項９】
「ｒａｎｄ（０，ａ）」が、ランダムに取得される整数０と整数ａとの間の整数（０及びａも含む）を表し、「ｄｉｖ」が、整除できない場合に小数部分を切り捨てる除算を表し、「ＤＲＸ  ｃｙｃｌｅ  ｌｅｎｇｔｈ」が、間欠受信周期の長さを表し、「Ｏｎ＿ｄｕｒａｔｉｏｎ」が、オン継続期間を表し、「ｎ」が、負でない整数を表し、「ＡＰＳＰ」の値が、セルのシステムフレーム番号の最大値以下である場合、前記基地局は、
【数４】
0004801176.tif 000008
に従って、前記ユーザ装置のアクティブ期間の開始点を算出することを特徴とする請求項１に記載の方法。
【請求項１０】
「ＡＰＳＰ（０）＝０」であり、「ｄｉｖ」が、整除できない場合に小数部分を切り捨てる除算を表し、「ＤＲＸ  ｃｙｃｌｅ  ｌｅｎｇｔｈ」が、間欠受信周期の長さを表し、「Ｍ」が、該間欠受信周期の長さ以下である現在接続中のユーザ装置の数を表し、「ｋ」が、ｋ番目のユーザ装置を表し、「ＡＰＳＰ（ｋ）」が、ｋ番目のユーザ装置のアクティブ期間の開始点を表し、「ｎ」が、負でない整数を表し、「ＡＰＳＰ」の値が、セルのシステムフレーム番号の最大値以下である場合、前記基地局は、
【数５】
0004801176.tif 000009
に従って、前記ユーザ装置のアクティブ期間の開始点を算出することを特徴とする請求項１に記載の方法。
【請求項１１】
「ＡＰＳＰ（０）＝０」であり、「Ｍｉ」が、現在接続中で且つそのサービスの種類が第ｉ種のユーザ装置の数を表し、「ｉ」が、第ｉ種のサービスを表し、「ｋｉ」が、第ｉ種のサービスを行う接続された第ｋｉ番目のユーザ装置を表し、「ｄｉｖ」が、整除できない場合に小数部分を切り捨てる除算を表し、「ＤＲＸ  ｃｙｃｌｅ  ｌｅｎｇｔｈ」が、間欠受信周期の長さを表し、「ｎ」が、負でない整数を表し、「ＡＰＳＰ」の値が、セルのシステムフレーム番号の最大値以下である場合、前記基地局は、
【数６】
0004801176.tif 000010
に従って、前記ユーザ装置のアクティブ期間の開始点を算出することを特徴とする請求項１に記載の方法。
【請求項１２】
前記基地局は、現在システム資源の利用状況によって前記ユーザ装置のアクティブ期間の開始点を確定することを特徴とする請求項１に記載の方法。
【請求項１３】
ユーザ装置の間欠受信モードにおけるアクティブ期間の開始点を設定するように構成されている移動通信システムで用いられる基地局であって、
前記ユーザ装置の識別番号を用いることなく、整数０と間欠受信周期の長さを示す整数との間の整数及び該間欠受信周期の長さを用いて、各間欠受信周期における該ユーザ装置のアクティブ期間の開始点を算出するように構成されている算出ユニットと、
「ＲＲＣ  ＣＯＮＮＥＣＴＩＯＮ  ＲＥＣＯＮＦＩＧＵＲＡＴＩＯＮ」によって、前記ユーザ装置のアクティブ期間の開始点を含む間欠受信用のＲＲＣ配置情報を送信するように構成されている送受信ユニットとを具備していることを特徴とする基地局。
【請求項１４】
ユーザ装置の間欠受信モードにおけるアクティブ期間の開始点を設定するように構成されている移動通信システムで用いられるユーザ装置であって、
基地局から、「ＲＲＣ  ＣＯＮＮＥＣＴＩＯＮ  ＲＥＣＯＮＦＩＧＵＲＡＴＩＯＮ」を介して、間欠受信用のＲＲＣ配置情報を受信するように構成されている送受信ユニットと、
前記間欠受信用のＲＲＣ配置情報に基づいて、自分に間欠受信モードが配置されているかどうかを検出し、前記ユーザ装置の識別番号を用いることなく、整数０と間欠受信周期の長さを示す整数との間の整数及び該間欠受信周期の長さを用いて、各間欠受信周期における前記アクティブ期間の開始点を算出するように構成されている間欠受信状態調整ユニットを具備することを特徴とするユーザ装置。
【発明の詳細な説明】
【技術分野】
【０００１】
本発明は、移動通信システムにおいてユーザ装置の間欠受信モードにおけるアクティブ期間の開始点を設定する方法及び装置に関し、特に、間欠受信状態にあるユーザ装置にアクティブ期間の開始点を設定する方法及び装置に関する。これより、複数のユーザ装置のアクティブ期間が重なる確率を低減し、システム容量を高めて資源の有効利用を実現する。
【背景技術】
【０００２】
第三世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）は、移動通信分野の重要な団体として、第三世代移動通信技術（Ｔｈｅ  Ｔｈｉｒｄ  Ｇｅｎｅｒａｔｉｏｎ、３Ｇ）の標準化の進展を強く促進しており、広帯域符号分割多元接続（Ｗｉｄｅ  Ｃｏｄｅ  Ｄｉｖｉｓｉｏｎ  Ｍｕｌｔｉｐｌｅ  Ａｃｃｅｓｓ、ＷＣＤＭＡ）、高速下りリンクパケットアクセス（Ｈｉｇｈ  Ｓｐｅｅｄ  Ｄｏｗｎｌｉｎｋ  Ｐａｃｋｅｔ  Ａｃｃｅｓｓ、ＨＳＤＰＡ）、高速上りリンクパケットアクセス（Ｈｉｇｈ  Ｓｐｅｅｄ  Ｕｐｌｉｎｋ  Ｐａｃｋｅｔ  Ａｃｃｅｓｓ、ＨＳＵＰＡ）などを含む一連の通信システムの規格を制定した。広帯域の接続技術からの挑戦に対応し、日々成長していく新業務の要求を満足させるために、３ＧＰＰは２００４年末に３Ｇの長期的進化（Ｌｏｎｇ  Ｔｅｒｍ  Ｅｖｏｌｕｔｉｏｎ、ＬＴＥ）の技術の標準化作業を始めた。高速に移動するユーザに高い速度の接続サービスなどを提供するため、スペクトル効率を更に向上させて、セルの縁のユーザの性能を改善し、システムの遅延を低減することが望ましい。
【０００３】
通信技術の移動性と広帯域化への発展に伴い、移動端末の省電力の問題が広く注目されている。多くの通信標準化団体は、関連標準を制定するときに省電力の問題を考慮している。特に、将来の移動通信システムのネットワーク接続は、全てＩＰ技術に基づきデータ伝送を行うことになる。しかし、ＩＰパケットの突発性と伝送チャネルのユーザ間の共有性とによって、ユーザ装置に到着するデータが連続するものではないので、如何にユーザ装置（ｕｓｅｒ  ｅｑｕｉｐｍｅｎｔ、ＵＥ）の消費電力を節約するかは、もっと重要になっている。
【０００４】
移動通信システムでは、ユーザ装置と基地局との間の情報交換が両方の電力の供給に依存している。一方、移動電話、ノートパソコン、個人データアシスタント（ＰＤＡ）などのようなバッテリ給電の移動端末は、蓄電量が限られている。そのため、如何に消費電力を減少してユーザ装置の待機時間やサービス時間を延長するのかは、移動通信システムの設計に考慮しなければならない肝心な問題の一つである。
【０００５】
ユーザ装置の消費電力を減少するために、３ＧＰＰ標準には、間欠受信（Ｄｉｓｃｏｎｔｉｎｕｏｕｓ  Ｒｅｃｅｐｔｉｏｎ、ＤＲＸ）モードが採用されている。具体的に、間欠受信モードは、ユーザ装置が基地局と約束した特定の時間帯でチャネルをセンシングして、下り方向のサービスを受け付けることによって、必要がないチャネルのセンシング時間を減少して、ユーザ装置の消費電力を低減する。このようなＤＲＸモードは同様にＬＴＥに採用されている。間欠受信モードは、３ＧＰＰ以前の標準に比べて、適用の状態、チャネル及び起動条件などに若干の違いがあるが、ユーザ装置のＤＲＸモードにおける動作手順が同じであり、いずれも特定の幾つかのパラメータで表すことが可能である。
【０００６】
図１はユーザ装置の間欠受信モードにおける動作手順を示している。図１に示すように、ＤＲＸモードにおいて、ユーザ装置（ＵＥ）は「アクティブ期間」（Ａｃｔｉｖｅ  Ｐｅｒｉｏｄ）と、「スリープ期間」（Ｓｌｅｅｐ  Ｐｅｒｉｏｄ）とに交互にある。二回連続のアクティブ期間の開始点（Ａｃｔｉｖｅ  ｐｅｒｉｏｄ  ｓｔａｒｔｉｎｇ  ｐｏｉｎｔ）の間の間隔は、一つの間欠受信周期（ＤＲＸ  ｃｙｃｌｅ）と呼ばれる。アクティブ期間内において、ＵＥはその受信機（Ｒｅｃｅｉｖｅｒ、Ｒｘ）を起動して、制御チャネルをセンシングして下り方向のデータを受信する。一方、スリープ期間内において、ＵＥは省電力のために制御チャネルをセンシングする必要がない。ＬＴＥ全体に関し記述される基準３ＧＰＰ  ＴＳ  ３６．３００では、ユーザ装置が無線資源制御接続（ＲＲＣ＿ＣＯＮＮＥＣＴＥＤ）にある状態におけるＤＲＸについて説明されている。そして、次のように定義されている。
【０００７】
−  オン継続期間（ｏｎ−ｄｕｒａｔｉｏｎ）：ＵＥがＤＲＸからウェイクアップした後、物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）の受信を待つ時間であり、単位は伝送時間間隔（Ｔｒａｎｓｍｉｓｓｉｏｎ  Ｔｉｍｅ  Ｉｎｔｅｒｖａｌ、ＴＴＩ）である。ＵＥはＤＲＸスリープ状態からウェイクアップした後、オン継続期間に入り、その期間内にＰＤＣＣＨを正確に復号すれば、アウェイク（Ａｗａｋｅ）の状態のまま、その中の非アクティビティタイマー（Ｉｎａｃｔｉｖｉｔｙ  Ｔｉｍｅｒ）を起動する。そうでなければ、ＵＥはＤＲＸ配置が許可される場合に、ＤＲＸのスリープ状態に入る。
【０００８】
−  非アクティビティタイマー（Ｉｎａｃｔｉｖｉｔｙ  ｔｉｍｅｒ）：ＵＥは前回のＰＤＣＣＨ復号完了の後から次回のＰＤＣＣＨ復号完了までの待ち時間であり、単位はＴＴＩである。ＵＥは、ＰＤＣＣＨを正確に復号すれば、アウェイク（Ａｗａｋｅ）の状態のまま、ある媒体アクセス制御（Ｍｅｄｉａ  Ａｃｃｅｓｓ  Ｃｏｎｔｒｏｌ、ＭＡＣ）ヘッド又は制御メッセージが再び間欠受信状態に入ると通知するまで、非アクティビティタイマーをリセットし、ＤＲＸ周期をＭＡＣのペイロードに明示に指示する。或いは、当該ＵＥは、非アクティビティタイマーが停止するときに、予め設定したＤＲＸ周期に従い自動的に間欠受信状態に再進入する。
【０００９】
−  アクティブ期間（ａｃｔｉｖｅ  ｔｉｍｅ）：ＵＥはアウェイク状態にある時間であり、ＤＲＸ周期内のオン継続期間と非アクティビティタイマー停止前にユーザが連続受信を行う時間とを含む。当該アクティブ期間は最小値がオン継続期間に等しく、最大値が制限されない。
【００１０】
前記の間欠受信により、ユーザは持続的にチャネルをセンシングすることなく、間欠的にある特定時点でウェイクアップすればよい。そうすると、必要のないチャネルに対するセンシングや自分のものでないデータの復号による消費電力が減少し、ユーザの待機時間とサービス時間が延長するようになる。しかし、これとともに、間欠受信は、ＵＥによる下り方向のデータ受信を時間的に制限している。例えば、図１において、ＵＥがスリープ期間にあるとき、当該ＵＥへのデータがｅＮＢ（基地局）に到着した場合、ｅＮＢは当該ＵＥの次のアクティブ期間まで、データを当該ＵＥに送信できないので、これらのデータはこの原因で遅延されている。すなわち、下り方向のデータの送信は、ＵＥの間欠受信状態のアクティブ期間に制限されている。各ＵＥのそれぞれの間欠受信状態は、ｅＮＢにより独立に配置されるので、複数のＵＥのアクティブ期間が重なった場合、ｅＮＢは、これらのアクティブ期間内に、複数のＵＥデータのスケジューリングと伝送をしなければならず、ほかの時間帯にデータを送信することができない。これらのデータ送信不可の時間帯において、チャネルがアイドルにあるので、リソース使用率の不均衡を招来してしまう。さらに、重なったアクティブ期間内において、大量データのスケジューリングができないことにより、サービス品質（Ｑｕａｌｉｔｙ  ｏｆ  Ｓｅｒｖｉｃｅ、Ｑｏｓ）の低下を招来する恐れもある。
【００１１】
図２は複数のＵＥが間欠受信を行う時のデータ伝送に与える影響を示す図である。ここで、無線資源を二次元の無線資源ブロックの集合として表し、横軸はＴＴＩを単位とする時間領域を、縦軸はサブキャリアを単位とする周波数領域をそれぞれ表す。このように、一つのＴＴＩ内において、一定数のサブキャリア（例えば、ＬＴＥでは、通常、１２個の連続サブキャリアを採用）からなる二次元のエリアは、資源ブロック（Ｒｅｓｏｕｒｃｅ  Ｂｌｏｃｋ、ＲＢ）と呼ばれる。一つのＴＴＩに対応する資源ブロックの数は、ＮＲＢで表される。図２は、ＮＲＢ＝３を例として間欠受信を示す図である。ｅＮＢは、このような無線資源ブロックの集合に基づいて資源の割り当てを行う。そして、該当する資源ブロックでデータを対応するＵＥに伝送する。今のシステムには、ＵＥ１、ＵＥ２、ＵＥ３、ＵＥ４との四つのユーザ装置があり、いずれも間欠受信状態にあり、同様なＤＲＸ周期とアクティブ期間を有することとする。この場合、四つのユーザ装置（ＵＥ１からＵＥ４）は、同じ時間帯にウェイクアップしてチャネルをセンシングして、自分に係わるデータを受信する。ｔ＝０の時点において、ｅＮＢは、これらのＵＥがアクティブ期間にあり、かつそれらへのデータがメモリに存在していると検出する。そして、ｅＮＢは資源を割り当て、第１、２、３番目のＲＢをそれぞれ番号が１、２、３のデータの伝送に使用し、ＵＥ４への番号が４のデータは、資源不足のため伝送できない。ＵＥ４は、今回のアクティブ期間において自分に係わるデータを検出していないので、スリープ期間に入る。ｅＮＢは、ＵＥ４が次回のアクティブ期間になるまで番号が４のパケットをスケジューリングする機会がないので、番号が４のパケットは一ＤＲＸ周期分遅延される。同様に、番号が７、８のパケットについても、一ＤＲＸ周期分遅延される。遅延に弱いサービス、例えばボイスに対しては、このような遅延によりＱｏｓの低下を招来してしまう恐れがある。これとともに、アクティブ期間内の資源不足に対して、ＵＥのスリープ期間内は、大量の資源ブロックが利用されず、資源の浪費を招来し、システム容量が減少するようになる。したがって、ユーザの間欠受信による資源利用の不均衡状態を改善する必要がある。省電力化を図るとともに、無線資源をより有効に利用する。
【００１２】
以上に述べたように、ＵＥの間欠受信は、オン継続期間、非アクティビティタイマー、アクティブ期間、ＤＲＸ周期、アクティブ期間の開始点との幾つかのパラメータの設定に依存している。但し、アクティブ期間の開始点はユーザがチャネルをセンシングするタイミングを決定し、アクティブ期間の開始点を設定することによって、無線資源の利用が不均衡の問題を有効に解決することができる。
【発明の概要】
【発明が解決しようとする課題】
【００１３】
従来の技術において、通常、アクティブ期間の開始点はＵＥの唯一の識別番号とＤＲＸ周期の長さによって決定される。例えば、アクティブ期間の開始点を、ＤＲＸ周期の長さをユーザの唯一の識別番号で除算した残差とする。しかし、Ｍｅｔｈｏｄ  ａｎｄ  ａｐｐａｒａｔｕｓ  ｆｏｒ  ｄｉｓｃｏｎｔｉｎｕｏｕｓｌｙ  ｒｅｃｅｉｖｉｎｇ  ｐａｃｋｅｔ  ｉｎ  ａ  ｍｏｂｉｌｅ  ｃｏｍｍｕｎｉｃａｔｉｏｎ  ｓｙｓｔｅｍ  Ａｐｐｌ（Ｄａｔｅ：２００７０４１１，ＳＡＭＳＵＮＧ  ＥＬＥＣＴＲＯＮＩＣＳ  ＣＯ．，ＬＴＤ，参考文献１）に指摘されるよう、このようなアクティブ期間の開始点の設定方式は、データがｅＮＢに到着したタイミングを考慮していない。データは任意のタイミングにｅＮＢのメモリに到着する可能性があり、それらの送信がＵＥの次のアクティブ期間まで待たなければならないので、データの保存時間は延長されることとなる。特に、遅延に弱く且つ一定の時間間隔でデータを産生するサービス、例えばＩＰ電話（Ｖｏｉｃｅ  ｏｖｅｒ  ＩＰ、ＶｏＩＰ）に対しては、従来のＤＲＸアクティブ期間の開始点の設定方式により、パケット伝送の遅延が増加し、ＱｏＳの低下を招来してしまう。したがって、参考文献１では、アクティブ期間の開始点を、ユーザが基地局から１番目のパケットを受信し始めるタイミングに設定する、又は、基地局が下り制御チャネルにおける制御メッセージでパケットを送信する時、ユーザが基地局から１番目の下り制御チャネルを受信したタイミングに設定すると提案されている。このような方式でアクティブ期間の開始点を調整することによって、データがメモリに到着した後、メモリでの停留時間を減らすことができ、伝送遅延を減少する。しかし、このような方法によれば、ＵＥがチャネルを連続センシングし、データがメモリに到着する途端に送信可能である場合に限り、ユーザ装置が１番目のグループを受信したタイミングが、データ産生のタイミングであり、伝送遅延の減少と言う目的を実現することができる。ユーザ装置が間欠受信にある場合は、依然としてアクティブ期間しか１番目のパケットの受信ができなく、保存時間を減らすことはできない。また、この方法は、無線資源利用の不均衡の問題を解決していない。なお、サービス品質を満足できる条件において、パケット遅延をさらに低減することは、ＵＥの満足度に与える影響はそれほど大きくない。例えば、パケットの遅延を１０ミリ秒から５ミリ秒まで下げても、ユーザは感知できない。一方、無線資源利用の不均衡の問題は、システムの容量とユーザに対するサービス品質の低下を招来してしまう。両方を比較すると、サービス品質を満足するまま、無線資源をより均衡かつ有効に利用してシステムの容量を拡大する方が、もっと重要である。
【００１４】
従って、ユーザのアクティブ期間の不均一な分布による無線資源の利用が不均衡の問題を解決して、ユーザが省電力化を図るとともに無線資源をより有効に利用し、ユーザに対するサービス品質を確保するまま、システムの容量を拡大することができる方法を希望している。
【００１５】
本発明の目的は、ユーザ装置が間欠受信モードにおけるアクティブ期間の開始点を設定する方法及び装置を提供することにある。具体的には、ユーザのアクティブ期間の開始点をランダムで設定することによって、複数のＵＥのアクティブ期間が重なる確率を低減し、さらにＵＥのサービス種類を考慮した上で、更に優先順位の高いサービスのサービス品質を確保し、システム容量を増大して資源の有効利用を実現する。
【課題を解決するための手段】
【００１６】
本発明の一面によれば、ユーザ装置の間欠受信モードにおけるアクティブ期間の開始点を設定する方法であって、基地局は、対応するアクティブ期間にデータをユーザ装置に送信するために、所定パラメータに基づきユーザ装置のアクティブ期間の開始点位置を計算し保存するステップと、ユーザ装置は、基地局からの無線資源制御の配置情報を受信し、自分に間欠受信モードが配置されているかどうかを検出するステップと、ユーザ装置は、受信された無線資源制御の配置情報における間欠受信の所定パラメータに従い、自分のアクティブ期間の開始点を算出するステップと、ユーザ装置は、算出したアクティブ期間の開始点に基づき間欠受信を起動するステップと、を含むことを特徴とする方法を提供する。
【００１７】
本発明の他の面によれば、ユーザ装置の間欠受信モードにおけるアクティブ期間の開始点を設定する装置において、基地局側に配置されたものであって、ユーザ装置の間欠受信の配置情報を決定し、間欠受信の配置情報に含まれた所定パラメータによりアクティブ期間の開始点の位置を算出するための第一間欠受信のパラメータ算出ユニットと、該当ユーザ装置に対応する情報を保存するための間欠受信状態レジスタと、情報をユーザ装置側に送信したりユーザ装置側から受信したりする第一送受信ユニットと、ユーザ装置側に配置されたものであって、基地局側から受信した間欠受信の配置情報に含まれた所定パラメータによって、ユーザ装置のアクティブ期間の開始点を算出するための第二間欠受信のパラメータ算出ユニットと、算出したユーザ装置のアクティブ期間の開始点によってユーザ装置のアクティブ期間の開始点を調整し、調整されたアクティブ期間の開始点と基地局側で算出された新しいアクティブ期間の開始点と一致するようにする間欠受信状態調整ユニットと、情報を基地局側に送信したり基地局側から受信したりする第二送受信ユニットと、を含むことを特徴とする装置を提供する。
【００１８】
本発明の更なる一面によれば、ユーザ装置の間欠受信モードにおけるアクティブ期間の開始点を設定する方法であって、基地局は、ユーザ装置に無線資源制御情報を配置する必要があるとき、ユーザ装置に間欠受信モードを配置する必要があるかどうかを判断し、ユーザ装置に間欠受信モードを配置する必要がある場合、ユーザ装置の間欠受信用の所定パラメータを決定するステップと、基地局は、所定パラメータによってユーザ装置のアクティブ期間の開始点を算出し、算出したアクティブ期間の開始点と間欠受信の所定パラメータとを間欠受信の配置情報に追加して、ユーザ装置に送信するステップと、ユーザ装置は、基地局からの間欠受信の配置情報を受信し、前記間欠受信の配置情報に含まれたアクティブ期間の開始点と間欠受信の所定パラメータに応じて間欠受信モードに入るステップと、を含むことを特徴とする方法を提供する。
【００１９】
本発明の更なる一面によれば、ユーザ装置の間欠受信モードにおけるアクティブ期間の開始点を設定する装置において、基地局側に配置されたものであって、所定パラメータによってユーザ装置の間欠受信のアクティブ期間の開始点を算出するための間欠受信のパラメータ算出ユニットと、算出した間欠受信のアクティブ期間開始点を、所定の間欠受信パラメータと共に、無線資源制御情報又はＭＡＣペイロードデータユニットにパッケージングする間欠受信配置のパッケージングユニットと、該当するユーザ装置に対応する情報を保存するための間欠受信状態レジスタと、情報をユーザ装置側に送信したりユーザ装置側から受信したりする第一送受信ユニットと、ユーザ装置側に配置されたものであって、基地局側からの間欠受信配置情報によって自分の間欠受信状態を調整し、間欠受信配置情報によって自分のアクティブ期間の開始点を新しい位置に更新する間欠受信状態調整ユニットと、情報を基地局側に送信したり基地局側から受信したりする第二送受信ユニットと、を含むことを特徴とする装置を提供する。
【００２０】
本発明の更なる一面によれば、ユーザ装置の間欠受信モードにおけるアクティブ期間の開始点を設定する方法であって、ユーザ装置は、基地局からの無線資源制御の配置情報を受信し、自分に間欠受信モードが配置されているかどうかを検出するステップと、ユーザ装置が間欠受信モードに配置された場合に、ユーザ装置は、間欠受信の配置情報に含まれた所定パラメータによって、ユーザ装置のアクティブ期間の開始点を算出し、算出した新しいアクティブ期間の開始点及びその位置を基地局に通知するステップと、ユーザ装置は、算出したアクティブ期間の開始点と前記間欠受信の配置情報に含まれた間欠受信の所定パラメータに基づいて、間欠受信を行うステップと、を含むことを特徴とする方法を提供する。
【００２１】
本発明の更なる一面によれば、ユーザ装置の間欠受信モードにおけるアクティブ期間の開始点を設定する装置において、基地局側に配置されたものであって、該当するユーザ装置に対応する情報を保存するための間欠受信状態レジスタと、情報をユーザ装置側に送信したりユーザ装置側から受信したりする第一送受信ユニットと、ユーザ装置側に配置されたものであって、基地局側から受信した間欠受信の配置情報に含まれた所定パラメータによってユーザ装置のアクティブ期間の開始点を算出するための間欠受信のパラメータ算出ユニットと、算出したユーザ装置のアクティブ期間の開始点によってユーザ装置のアクティブ期間の開始点を調整するための間欠受信状態調整ユニットと、算出したユーザ装置のアクティブ期間の開始点の情報をＭＰＤＵに搭載し、第二送受信ユニットを介して基地局に送信する間欠受信配置のパッケージングユニットと、情報を基地局側に送信したり基地局側から受信したりする第二送受信ユニットと、を含むことを特徴とする装置を提供する。
【発明の効果】
【００２２】
本発明によれば、ＵＥの間欠受信状態のアクティブ期間の開始点を設定して、ＵＥのアクティブ期間を時間的になるべく均一分布させることによって、ＵＥのアクティブ期間の重なりによる資源利用の不均衡を避けることができ、ＵＥの間欠受信モードが資源利用に与える悪い影響をなくすことができる。
【００２３】
また、本発明は、システムの容量とユーザのサービス品質の向上に役立っている。特に、サービスの種類を考える場合に、優先順位を設定することにより、優先順位の高いサービスのユーザに対しより良いサービスを提供することができる。
【００２４】
本発明の前記並びにその他の目的と新規な特徴は、以下に示す実施形態の説明を、以下のような添付図面と照らし合わせて読むと、より完全に明らかとなるであろう。
【図面の簡単な説明】
【００２５】
【図１】ユーザ装置（ＵＥ）の間欠受信モードにおける動作手順を示す図である。
【図２】複数のＵＥが間欠受信を行う時、データ伝送に与える影響を示す図である。
【図３】本発明の第一実施例によるユーザが自主的にアクティブ期間の開始点を設定する装置のブロック図である。
【図４】本発明の第一実施例によるユーザが自主的に間欠受信状態のアクティブ期間の開始点を設定する動作を示すフローチャートである。
【図５】複数のＵＥが式（１）に従い算出したアクティブ期間の開始点により間欠受信を行うことを示す図である。
【図６】本発明の第二実施例によるｅＵＢがＵＥにアクティブ期間の開始点を設定する装置のブロック図である。
【図７】本発明の第二実施例によるＲＲＣメッセージによりＵＥの間欠受信状態のアクティブ期間の開始点を設定する動作を示すフローチャートである。
【図８】本発明の第二実施例によるＭＡＣペイロードデータユニット（ＭＡＣ  Ｐａｙｌｏａｄ  Ｄａｔａ  Ｕｎｉｔ、ＭＰＤＵ）によりＵＥのアクティブ期間の開始点を動的に変更する動作を示すフローチャートである。
【図９】本発明の第二実施例による式（３）によりＵＥのアクティブ期間の開始点を設定した後、ＵＥが間欠受信を行うことを示す図である。
【図１０】本発明の第二実施例による式（４）によりＵＥのアクティブ期間の開始点を設定した後、ＵＥが間欠受信を行うことを示す図である。
【図１１】本発明の第三実施例によるＵＥが自主的にアクティブ期間の開始点を設定してｅＮＢに通知する装置のブロック図である。
【図１２】本発明の第三実施例によるＵＥが自主的に間欠受信状態のアクティブ期間の開始点を設定してｅＮＢに通知する動作を示すフローチャートである。
【発明を実施するための形態】
【００２６】
以下、図面を参照して、本発明の実施例について詳細に説明する。本発明に対する曖昧な理解を防ぐために、記述の中に本発明にとって必要でない細部と機能を省略する。
【００２７】
以下、図面を参照しながら、本発明によるＵＥの間欠受信モードのアクティブ期間の開始点を設定する方法および装置の最適な実施例を説明する。
【００２８】
（第一実施例）
図３は本発明の第一実施例によるユーザが自主的にアクティブ期間の開始点を設定する装置のブロック図である。図３に示すように、この最適な実施例によるユーザが自主的にアクティブ期間の開始点を設定する装置では、ネットワーク側（ｅＮＢ：ソースノード又は基地局）に間欠受信（ＤＲＸ）パラメータ算出ユニット３１と、ＤＲＸ状態レジスタ３２と、送受信ユニット３３とが配置されており、ＵＥ側に送受信ユニット３４と、ＤＲＸパラメータ算出ユニット３５と、ＤＲＸ状態調整ユニット３６とが配置されている。
【００２９】
ｅＮＢ側では、送受信ユニット３３（第一送受信ユニットとしてもよい）は、無線インターフェースからの情報を送受信する。ＤＲＸパラメータ算出ユニット３１（第一ＤＲＸパラメータ算出ユニットとしてもよい）は、ＵＥのＤＲＸ配置情報を決定する。配置情報には、ＤＲＸ周期と、オン継続期間と、非アクティビティタイマーなどの基本のＤＲＸパラメータとが含まれている。ＤＲＸパラメータ算出ユニット３１は、これらの基本パラメータとＵＥ数などのような他の情報に基づいて、アクティブ期間の開始点の位置を算出し、以上のＤＲＸの所定パラメータをＤＲＸ状態レジスタ３２に保存する、或いはこれらのパラメータを使ってＤＲＸ状態レジスタ３２を更新する。
【００３０】
ＵＥ側では、ＤＲＸパラメータ算出ユニット３５（第二ＤＲＸパラメータ算出ユニットとしてもよい）は、送受信ユニット３４（第二送受信ユニットとしてもよい）がｅＮＢ側から受信したＤＲＸ配置情報に含まれた基本パラメータに基づいて、ＵＥのアクティブ期間の開始点を算出し、計算結果をＤＲＸ状態調整ユニット３６に送信する。ＤＲＸ状態調整ユニット３６は、ＤＲＸパラメータ算出ユニット３５から提供された計算結果によって、ＵＥのアクティブ期間の開始点を調整して、当該調整したアクティブ期間の開始点がｅＮＢ側に算出した新たなアクティブ期間の開始点と一致するようにする。
【００３１】
図４は本発明の第一実施例によるユーザが自主的にアクティブ期間の開始点を設定する動作のフローチャートである。図４に示すように、まず、ステップＳ４０１において、ＵＥがｅＮＢからのＲＲＣ配置情報を受信し、１つのＲＲＣ接続を確立、更新またはリリースする。ＬＴＥを一例とすると、ＲＲＣ接続再配置メッセージ（ＲＲＣ  ＣＯＮＮＥＣＴＩＯＮ  ＲＥＣＯＮＦＩＧＵＲＡＴＩＯＮ）によりＲＲＣ配置情報が伝送される。ＵＥは、ＲＲＣ配置メッセージを受信した後、自分がＤＲＸモードに配置されているかどうかを検出する（ステップＳ４０２）。ステップＳ４０２での判断結果は否定、つまりＵＥにＤＲＸモードが配置されていない場合、フローはステップＳ４０５にジャンプし、間欠受信を起動させず、チャネルを継続にセンシングする。ＵＥは、再びＲＲＣ配置情報を受信した場合（ステップＳ４０１）、上記の動作を繰り返し、新たに受信したＲＲＣ配置情報により自分の状態を更新する。
【００３２】
一方、ステップＳ４０２での判断結果は肯定、つまりＵＥにＤＲＸモードが設定されている場合、フローはステップＳ４０３に進行し、ＤＲＸパラメータ算出ユニット３５によりＤＲＸ配置における関連パラメータに基づき、アクティブ期間の開始点を算出する。ここで、次の式（１）に従って、ＵＥのアクティブ期間の開始点を算出してもよい。
【数１】
0004801176.tif 000002
【００３３】
但し、ＵＥ  ｉｄｅｎｔｉｔｙは、ユーザの唯一の識別番号を表す。当該識別番号は、例えば国際移動電話加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、ＩＭＳＩ）、又はＬＴＥにおいてＵＥがＲＲＣ＿ＣＯＮＮＥＣＴＥＤ状態にＵＥの接続中のセルを唯一に識別するための無線ネットワークテンポラリ識別子（Ｃｅｌｌ  Ｒａｄｉｏ  Ｎｅｔｗｏｒｋ  Ｔｅｍｐｏｒａｒｙ  Ｉｄｅｎｔｉｔｙ、Ｃ−ＲＮＴＩ）などとしてもよい。ｍｏｄは、除法の残差を求める演算である。つまり、ａ  ｍｏｄ  ｂは整数ａを整数ｂで除算した残差を表す。ｄｉｖは、除算を表す。つまり、ａ  ｄｉｖ  ｂはａをｂで除算した値を表す。整除できない場合は、小数部分を切り捨てる。ｎは例えば０、１、２・・・のような負でない整数である。そして、ＡＰＳＰの値はシステムフレーム番号（Ｓｙｓｔｅｍ  Ｆｒａｍｅ  Ｎｕｍｂｅｒ、ＳＦＮ）の最大値以下であることを満たしている。
【００３４】
次に、ステップＳ４０４において、ＵＥは、受信した配置情報に含まれたＤＲＸパラメータと自ら算出したアクティブ期間の開始点に従い、間欠受信を始める。そして、ＲＲＣ配置情報を再び受信するとき（ステップＳ４０１）、ＵＥは上記の動作を繰り返す。
【００３５】
図５は、複数のＵＥが式（１）に従い算出したアクティブ期間の開始点により間欠受信を行うことを示す図である。ＤＲＸの周期は２０個のＴＴＩの長さに等しく、オン継続期間は２つのＴＴＩの長さと等しく、四つのユーザＵＥ１、ＵＥ２、ＵＥ３、ＵＥ４の唯一の識別番号は、それぞれ１、２、３、４であるものとする。式（１）に従い計算すると、ＵＥ１は第２、２２、４２・・・番目のＴＴＩの開始時点でウェイクアップしアクティブ期間に入り、ＵＥ２は第４、２４、４４・・・番目のＴＴＩの開始時点でウェイクアップしアクティブ期間に入るはずであり、他も類推する。これら４つのアクティブ開始点は、それぞれ１つのオン継続期間を挟んでいる。図２に示す資源では、前の２つのＴＴＩに全てのＵＥデータを送信するのが足りないに対して、図５に示す４つのＵＥデータは、それぞれ異なった時間間隔内にスケジューリングされ、資源が時間軸において更に均衡に利用されるとともに、全部のＵＥデータは今回のＤＲＸ周期内にすべて送信されることができ、いずれかのＵＥパケット、例えば図２におけるＵＥ４の番号が４のパケットは、次のアクティブ期間に遅延されることを回避した。
【００３６】
（第二実施例）
図６は本発明の第二実施例によるｅＮＢがＵＥにアクティブ開始点を設定する装置のブロック図である。図６に示すように、この最適な実施例によるユーザが自主的にアクティブ期間の開始点を設定する装置では、ネットワーク側（ｅＮＢ：ソースノード又は基地局）に間欠受信（ＤＲＸ）パラメータ算出ユニット６１と、ＤＲＸ配置パッケージングユニット６２と、ＤＲＸ状態レジスタ６３と、送受信ユニット６４とが配置されており、ＵＥ側に送受信ユニット６５と、ＤＲＸ状態調整ユニット６６とが配置されている。
【００３７】
ｅＮＢ側では、ＤＲＸパラメータ算出ユニット６１は、上記の式（１）によりＵＥの間欠受信状態のアクティブ期間の開始点を算出し、計算結果をＤＲＸ状態レジスタ６３に保存する、或いはＤＲＸ状態レジスタ３２をその計算結果により更新する。ＤＲＸ配置パッケージングユニット６２は、算出した間欠受信状態のアクティブ期間の開始点を、他のＤＲＸパラメータと共にＲＲＣメッセージ又はＭＡＣペイロードデータユニット（ＭＰＤＵ）にパッケージングし、送受信ユニット６４を介してＵＥへ送信する。ＤＲＸ状態レジスタ６３は、当該ｅＮＢに接続されている全てのＵＥの現在のＤＲＸ状態情報を保存し、アクティブ期間開始点の位置情報が含まれる。送受信ユニット６４は、無線インターフェースからの情報を送受信する。
【００３８】
ＵＥ側では、ＤＲＸ状態調整ユニット６６は、自身の送受信ユニット６５から受信したｅＮＢ側からのＤＲＸ配置情報によって、自分のＤＲＸ状態を調整する。また、ＤＲＸ状態調整ユニット６６は、受信したＤＲＸ配置情報に基づいて、自分のアクティブ期間の開始点の位置情報を新しい位置に更新する。
【００３９】
注意すべきなのは、ＤＲＸパラメータ算出ユニット６１は、上記の式（１）によってＵＥの間欠受信状態のアクティブ期間の開始点を算出したが、これに限定されていない。ほかの方法によりＵＥの間欠受信状態のアクティブ期間の開始点を算出してもよい。例えば、ＤＲＸパラメータ計算ユニット６１は、次の式（２）から（４）に従い、それぞれＵＥの間欠受信状態のアクティブ期間の開始点を算出することも可能である。
【数２】
0004801176.tif 000003
【数３】
0004801176.tif 000004
【数４】
0004801176.tif 000005
【００４０】
但し、式（２）と式（３）において、ｒａｎｄ（０，ａ）は、整数０から整数ａの間で（０とａも含む）、整数をランダムに取ることを表す。このような二つの計算方式は、ＵＥの識別番号と別なものであり、ランダム性が更に得られる。ｄｉｖは、上記の式（１）と同じように、除算を表す。式（４）において、Ｍは、現在接続状態にあるＵＥの総数を表す。ここで、ＭはＤＲＸ周期以下である。ｋはｋ番目のＵＥを、ＡＰＳＰ（ｋ）はｋ番目のＵＥのアクティブ期間の開始点をそれぞれ表す。ここで、なるべく複数のＵＥのアクティブ期間の開始点が一つのＤＲＸ周期に均一に分布されるように、ＵＥの数を更に考えた。
【００４１】
図７は本発明の第二実施例によるＲＲＣメッセージでＵＥに間欠受信状態のアクティブ期間の開始点を設定する動作のフローチャートである。図７に示すように、ステップＳ７０１において、ｅＮＢは、現在のネットワーク状況やＵＥの要求などに基づいて、ＲＲＣ情報を配置してＵＥのためにＲＲＣの接続を確立、更新またはリリースする必要があるかどうかを判断する。ＬＴＥを例とすると、ＵＥがサービスを発起するとき、ＲＲＣ接続要求（ＲＲＣ  ＣＯＮＮＥＣＴＩＯＮ  ＲＥＱＵＥＳＴ）メッセージをｅＮＢに送信し、接続の確立をｅＮＢに要求する。ｅＮＢは、当該接続の要求を受信した後、ＲＲＣ情報を配置する必要がある。ステップＳ７０１において、ＲＲＣ情報を配置する必要がないと判断した場合、フローは終了する。Ｓ７０１において、ＲＲＣ情報を配置する必要があると判断した場合、フローは次のステップＳ７０２に進行し、ｅＮＢは更にＤＲＸモードをＵＥに配置する必要があるかどうかを判断する。ステップＳ７０２において、ＤＲＸモードをＵＥに配置する必要があると判断した場合、フローは次のステップＳ７０３に進行する。ステップＳ７０３において、ｅＮＢはＤＲＸの基本パラメータを決定する。これらのパラメータには、例えばオン継続期間や非アクティビティタイマーなどが含まれる。続いて、ステップＳ７０４において、ｅＮＢは、式（１）〜（４）及び次の式（５）のいずれかに従い、ＵＥのアクティブ期間の開始点を算出し、当該アクティブ期間の開始点をＤＲＸの基本パラメータと共にＤＲＸ配置情報に入れる。ステップＳ７０５において、ｅＮＢは、ＵＥに関するＤＲＸ配置情報をＤＲＸ状態レジスタに保存する。その後、ｅＮＢはＵＥの配置情報をＲＲＣ配置情報に入れて、ほかの配置情報と共に、ＵＥに送信する（ステップＳ７０６）。ここで、ＬＴＥでは、通常、ＲＲＣ配置メッセージがＲＲＣ接続再配置メッセージである。ＵＥは、ｅＮＢから送信されたＲＲＣ接続再配置メッセージを受信完了した後、応答としてＲＲＣ接続再配置完了（ＲＲＣ  ＣＯＮＮＥＣＴＩＯＮ  ＲＥＣＯＮＦＩＧＵＲＡＴＩＯＮ  ＣＯＭＰＬＥＴＥ）メッセージをｅＮＢに送信する。そして、上記の配置情報に応じて間欠受信モードに入る。ステップＳ７０７において、ｅＮＢはユーザのアクティブ期間に当該ユーザをスケジューリングしてデータを送信することができる。その後、当該フローは終了する。
【００４２】
ステップＳ７０２においてＤＲＸモードを配置する必要はないと判断した場合、フローはステップＳ７０８に移転する。ステップＳ７０８において、ｅＮＢは、当該ＵＥがＤＲＸを起動せず連続受信状態にある情報を記録する。この場合、ステップＳ７０９において、ｅＮＢはほかのＲＲＣ配置情報をＵＥに送信する。さらに、何れの時点でも、ＵＥをスケジューリングしてデータを送信することができる（ステップＳ７１０）。
【００４３】
図７に示すＲＲＣメッセージによりＤＲＸパラメータを配置するのに対して、ＭＰＤＵにより変更すべきＤＲＸパラメータを搭載することによって、ＤＲＸの動的配置を実現してもよい。従来のＬＴＥについての検討では、ＤＲＸ周期がＭＰＤＵにより伝送することができると考えられる。
【００４４】
図８は、ＭＰＤＵにより新しいアクティブ期間の開始点を搭載してＤＲＸ配置を更新する動作を示すフローチャートである。図８に示すように、ステップＳ８０１において、ｅＮＢは、ＵＥのアクティブ期間の開始点を更新する必要があるかどうかを検出する。ＵＥのアクティブ期間の開始点を計算する必要があれば、続いてステップＳ８０２に進行し、式（１）〜（４）及び次の式（５）のいずれかに従い、新しいアクティブ期間の開始点を算出する。そして、ステップＳ８０３において、ｅＮＢは保存された当該ＵＥのＤＲＸ配置情報におけるアクティブ期間の開始点を、新たに算出した値に更新する。続いて、ステップＳ８０４において、ｅＮＢはこの新しいアクティブ期間の開始点をＭＰＤＵに搭載してユーザに送信する。そして、ＵＥは新しいアクティブ期間の開始点によって自分のＤＲＸ状態を更新する。ステップＳ８０５において、ｅＮＢは、新しいアクティブ期間内に該当ＵＥをスケジューリングしてデータを送信する。一方、ステップＳ８０１においてＵＥのアクティブ期間の開始点を更新する必要がないと検出した場合、フローは終了する。
【００４５】
上記のステップＳ７０４とステップＳ８０４において、それぞれ式（１）〜（４）でＵＥのアクティブ期間の開始点を算出する以外に、次の式（５）でＵＥのアクティブ期間の開始点を計算することもできる。
【数５】
0004801176.tif 000006
【００４６】
但し、Ｍｉは接続中且つそのサービスの種類が第ｉ種のＵＥの数を表す。ｉは第ｉのサービス種類、ｋｉは第ｉ種のサービスを行う、接続された第ｋｉ個のＵＥを表す。第ｉのサービス種類について、例えば、システムはサービスをリアルタイムと非リアルタイムに分ければ、ｉ＝１をリアルタイム・サービスとされ、ｉ＝２を非リアルタイム・サービスとされてもよい。この場合は、Ｍ１はリアルタイム・サービスのＵＥ数を、Ｍ２は非リアルタイム・サービスのＵＥ数をそれぞれ表す。式（４）に比べて、式（５）は接続中のＵＥを分類し、サービス種類の異なるユーザに対してアクティブ期間の開始点をそれぞれ設定して、なるべくアクティブ期間が重なった時間区域に、サービスの種類が多くなるようにする。このようにすると、優先スケジューリングによって優先順位の高いサービスのサービス品質を高めることができ、優先順位の高いサービスのアクティブ期間の重なりによりサービス品質の低下を避けることができる。特に、ボイスサービスについては、ボイスサービスとデータサービスとを同じアクティブ期間の開始点に配置してもよい。複数のボイスサービスを同じのアクティブ期間の開始点に配置する場合に比べ、ボイスサービスはより高い優先順位でユーザに送信されることを保証できるとともに、データサービスは次のアクティブ期間に遅延されてもサービス品質に影響を与えることはない。
【００４７】
また、ＬＴＥシステムにおいて、マルチメディア放送のマルチキャストサービス（ＭＢＭＳ）を送信するためのチャネルや放送チャネルなどと、データを送信するためのチャネルとがシステム資源を共有しているため、式（１）から（５）により算出したアクティブ期間の開始点が上記の非データチャネルに重なるおそれがある。そのため、基地局はそのアクティブ期間の開始点をほかの位置に調整する必要がある。システムの無線資源の利用現状によって調整してもよい。
【００４８】
図９は、図７と図８の方式に従い、式（３）によりアクティブ期間の開始点を設定した後、ＵＥが間欠受信を行うことを示す図である。図４の方式に比べて、図９において、各ＵＥのアクティブ期間の開始点は、０からＤＲＸ  ｃｙｃｌｅ  ｌｅｎｇｔｈ  ｄｉｖ  Ｏｎ＿ｄｕｒａｔｉｏｎまでの間にランダムで取得されるので、それらのアクティブ期間の開始点はＵＥの識別番号と関係なく、ランダム性が更に得られる。図１０は、図７と図８の方式に従い、式（４）によりアクティブ期間の開始点を設定した後、ＵＥが間欠受信を行うことを示す図である。図４の方式に比べて、図１０において、各ＵＥのアクティブ期間の開始点の間隔は広げられ、ＵＥのアクティブ期間が時間軸における分布がより分散され、ＵＥの数がＤＲＸ周期以下の場合のアクティブ期間の開始点の設定に適用される。
【００４９】
さらに、本実施例において、ユーザ装置は、基地局からの間欠受信の配置情報に含まれたアクティブ期間の開始点を元に、間欠受信の周期に基づいて拡張し、以降の各アクティブ期間の開始点を算出しても良い。このようにして、基地局は算出した１番目のアクティブ期間の開始点をユーザ装置に通知するだけで済み、アクティブ期間の開始点の通知にかかるシグナリングオーバヘッドを節約することができる。
【００５０】
（第三実施例）
図１１は本発明の第三実施例によるＵＥが自主的にアクティブ期間の開始点を設定してｅＮＢに通知する装置のブロック図である。図１１に示すように、この最適な実施例によるユーザが自主的にアクティブ期間の開始点を設定する装置では、ネットワーク側（ｅＮＢ：基地局）に、ＤＲＸ状態レジスタ１１１と、送受信ユニット１１２とが設定されており、ＵＥ側に送受信ユニット１１３と、ＤＲＸパラメータ算出ユニット１１４と、ＤＲＸ状態調整ユニット１１５と、ＤＲＸ配置パッケージングユニット１１６とが設定されている。
【００５１】
上記の第一と第二の実施例に比べ、ｅＮＢ側では更にＤＲＸ状態レジスタ１１１と送受信ユニット１１２とが設定されている。ｅＮＢは、送受信ユニット１１２を介して受信された、ＵＥにより算出されたアクティブ期間の開始点を含むＤＲＸ配置情報をＤＲＸ状態レジスタ１１１に保存する。或いは、ＤＲＸ状態レジスタ１１１に保存されたＵＥに関する情報を、受信されたＤＲＸ配置情報により更新する。
【００５２】
ＵＥ側では、第一実施例に含まれたユニットに加え、ＤＲＸ配置パッケージングユニット１１６を追加する。ＤＲＸ配置パッケージングユニット１１６は、ＤＲＸパラメータ算出ユニット１１４が算出した結果をＭＰＤＵに搭載して、送受信ユニット１１３を介してｅＮＢに送信する。ここで、ＤＲＸパラメータ算出ユニット１１４は、上記の式（１）から（５）によってアクティブ期間の開始点を計算してもよい。第三実施例に係わるＵＥにおける他のユニットの配置と動作は、第一実施例と同じなので、ここで同様な部分についての記述を省略する。
【００５３】
図１２は本発明の第三実施例によるＵＥが自主的に間欠受信状態のアクティブ期間の開始点を設定し、ｅＮＢに通知する動作のフローチャートである。図４との唯一の区別点は、ＵＥが新しいアクティブ期間の開始点を計算した後、算出した新しいアクティブ期間の開始点をｅＮＢに送信することにある。ｅＮＢは、受信した新しいアクティブ期間の開始点に基づき、ＤＲＸ状態レジスタにおけるＵＥのＤＲＸ状態に関する情報を更新する。ここで、アクティブ期間の開始点の送信は、ＵＥのＭＰＤＵに搭載することで実現してもよい。このような動作手順は、上記の式（１）から（５）によるアクティブ期間の開始点の計算方法を利用してもよい。
【００５４】
具体的に、まず、ステップＳ１２１において、ＵＥはｅＮＢからのＲＲＣ配置情報を受信して、１つのＲＲＣ接続を確立、更新またはリリースする。ＲＲＣ接続再配置（ＲＲＣ  ＣＯＮＮＥＣＴＩＯＮ  ＲＥＣＯＮＦＩＧＵＲＡＴＩＯＮ）メッセージにより、ＲＲＣ配置情報をＵＥに伝送してもよい。ＵＥは、ＲＲＣ配置メッセージを受信した後、自分にＤＲＸモードが配置されているかどうかを検出する（ステップＳ１２２）。ステップＳ１２２での判断結果が否定、つまりＵＥにＤＲＸモードが設定されていない場合、フローはステップＳ１２６にジャンプし、ＵＥが間欠受信を起動させず、チャネルのセンシングを継続する。
【００５５】
一方、ステップＳ１２２での判断結果が肯定、つまりＵＥにＤＲＸモードが設定されている場合、フローはステップＳ１２３に進行し、ＵＥのＤＲＸパラメータ算出ユニット１１４がＤＲＸ配置における関連パラメータに基づき、アクティブ期間の開始点を算出する。ここで、上記の式（１）から（５）に従い、ＵＥのアクティブ期間の開始点を算出してもよい。続いて、ステップＳ１２４において、ＵＥは算出した新しいアクティブ期間の開始点及び位置をｅＮＢに通知する。ＵＥは、アクティブ期間の開始点をＵＥのＭＰＤＵに搭載してｅＮＢに送信してもよい。その後、ステップＳ１２５において、ＵＥは間欠受信を行う。さらに、ステップＳ１２６とＳ１２５において、ＵＥはＲＲＣ配置情報を再び受信した場合（ステップＳ１２１）、上記の動作を繰り返す。
【００５６】
さらに、本実施例において、基地局は、ユーザ装置からのアクティブ期間の開始点を元に、間欠受信周期に基づいて拡張し、以降の各アクティブ期間の開始点を算出しても良い。このようにして、ユーザ装置は算出した１番目のアクティブ期間の開始点を基地局に通知するだけで済み、アクティブ期間の開始点の通知にかかるシグナリングオーバヘッドを節約することができる。
【００５７】
本発明によれば、ＵＥの間欠受信状態のアクティブ期間の開始点を設定して、ユーザのアクティブ期間がなるべく時間的に均一分布されるようにすることによって、複数のＵＥのアクティブ期間の重なりによる資源利用の不均衡を避けることができ、ＵＥの間欠受信モードが資源利用に与える悪い影響を解消することができる。なお、本発明は、システムの容量とユーザのサービス品質の向上に役立っており、特に、サービスの種類を考える場合、優先順位の設定により、優先順位の高いサービスのユーザに対しより良いサービスを提供することができる。
【００５８】
ここまで、本発明について好ましい実施例を合わせて説明した。当業者であれば本発明の精神及び範囲から逸脱しない限り、様々な変更、交換及び追加を行ってもよいことが理解されるはずである。そこで、本発明の範囲は前記特定の実施例に限られるものと理解してはならず、添付した請求項の範囲によって限定されるものである。
【図１】
0004801176.tif 000011
【図２】
0004801176.tif 000012
【図３】
0004801176.tif 000013
【図４】
0004801176.tif 000014
【図５】
0004801176.tif 000015
【図６】
0004801176.tif 000016
【図７】
0004801176.tif 000017
【図８】
0004801176.tif 000018
【図９】
0004801176.tif 000019
【図１０】
0004801176.tif 000020
【図１１】
0004801176.tif 000021
【図１２】
0004801176.tif 000022